(57)【要約】【課題】カメラユニットの設置作業及び取り外し作業の簡易化を図ることができるインターホン装置のカメラ付玄関子機を提供する。【解決手段】前ケース２の後面に、第一軸１０を軸支する第一軸受リブ１１と、第二軸１２を軸支する軸支部とを設ける。そして当該軸支部を、第二軸１２の先端部を支持するために後方から切り込んでなるＵ字状溝１３を有する第二軸受リブ１４と、該第二軸受リブ１４に隣接して備えられた保持部１７とからなるものとし、第二軸１２の先端部を、保持部１７に保持させたチルト操作部材１６とＵ字状溝１３とにより前後から挟持するようにした。【選択図】図６
2008205934.tif 000002
【特許請求の範囲】
【請求項１】
居室内に設置された親機を呼び出して前記親機との間で通話を可能とし、来訪者を撮像するためのカメラを備えたインターホン装置のカメラ付玄関子機であって、
前記カメラは、チルト動作を可能とするために左右方向へ伸びた一対の回動軸と、撮像映像を処理する映像処理回路を組み付けた回路基板と共にカメラユニットとして一体化される一方、
前記カメラユニットを内蔵可能な玄関子機のケースは、前面を構成する前ケースと背面を構成する後ケースとから成り、
前記前ケースの後面に、各前記回動軸の先端部を夫々軸支する一対の軸支部を設け、一方の軸支部が、前記回動軸の先端部を支持するために後方から切り込んだ支持溝を備えると共に、前記回動軸を回動操作するためのチルト操作部材を保持するチルト操作部材保持部を前記支持溝に隣接して備え、
前記回動軸の先端部を、前記チルト操作部材保持部に保持させた前記チルト操作部材と前記支持溝とにより前後から挟持することを特徴とするインターホン装置のカメラ付玄関子機。
【請求項２】
前記チルト操作部材は、挿入操作により前記チルト操作部材保持部に保持され、前記チルト操作部材保持部及び／又は前記チルト操作部材に挿入量を規制する規制部を設けたことを特徴とする請求項１記載のインターホン装置のカメラ付玄関子機。
【請求項３】
前記チルト操作部材の後面に円弧面を形成し、前記円弧面に前記チルト操作部材を前記後ケースの更に後方から操作するための摘み部を設ける一方、前記後ケースに、前記円弧面が当接可能で且つ前記円弧面と同曲率の湾曲面を有する支持部を設けるとともに、前記支持部の前記湾曲面に前記摘み部を外部へ露出させる操作窓を開設し、
前記円弧面により前記操作窓の周囲を閉塞して、前記摘み部を前記操作窓から外部に露出させたことを特徴とする請求項１又は２記載のインターホン装置のカメラ付玄関子機。
【請求項４】
前記操作窓の下方に隣接して水抜き孔を設けるとともに、前記操作窓と前記水抜き孔とを仕切る仕切部の前面を前記湾曲面よりも後方位置として、前記チルト操作部材の円弧面と前記仕切部の前面との間に隙間を生じさせ、前記隙間を、前記操作窓の内部と前記水抜き孔の内部とを連通する連通路としたことを特徴とする請求項３記載のインターホン装置のカメラ付玄関子機。
【発明の詳細な説明】
【技術分野】
【０００１】
本発明は、玄関の壁面等に取り付けられるインターホン装置のカメラ付玄関子機に関するものである。
【背景技術】
【０００２】
従来、カメラ付玄関子機として、カメラの撮像角度（特にチルト角度）を調整可能に構成されたものがある。このようなカメラ付玄関子機においては、カメラを有するカメラユニットに軸を設ける一方、カメラユニットを取り付けるカバー体側にカメラユニットの軸を軸支する軸受部を設けており、カメラユニットをカバー体側へ押圧し、軸や軸受部の弾性付勢力により軸を軸受部内に圧入する等して、カメラユニットをカバー体に対して回動可能に軸支させていた（たとえば、特許文献１又は２）。
【０００３】
【特許文献１】実開平６−９２８０号公報
【特許文献２】特開２０００−２４４８９８号公報
【発明の開示】
【発明が解決しようとする課題】
【０００４】
しかしながら、上記圧入固定タイプでは、軸の軸受部への圧入時に非常に大きな力を必要とするため、カメラユニットの設置作業が非常に煩わしいという問題がある。さらに、一旦設置してしまうと取り外しもまた困難であり、メンテナンス時等に煩わしいという問題もある。
【０００５】
そこで、本発明は、上記課題に鑑みなされたものであって、カメラユニットの設置作業及び取り外し作業の簡易化を図ることができるインターホン装置のカメラ付玄関子機を提供しようとするものである。
【課題を解決するための手段】
【０００６】
上記目的を達成するために、本発明のうち請求項１に記載の発明は、居室内に設置された親機を呼び出して親機との間で通話を可能とし、来訪者を撮像するためのカメラを備えたインターホン装置のカメラ付玄関子機であって、カメラは、チルト動作を可能とするために左右方向へ伸びた一対の回動軸と、撮像映像を処理する映像処理回路を組み付けた回路基板と共にカメラユニットとして一体化される一方、カメラユニットを内蔵可能な玄関子機のケースは、前面を構成する前ケースと背面を構成する後ケースとから成り、前ケースの後面に、各回動軸の先端部を夫々軸支する一対の軸支部を設け、一方の軸支部が、回動軸の先端部を支持するために後方から切り込んだ支持溝を備えると共に、回動軸を回動操作するためのチルト操作部材を保持するチルト操作部材保持部を支持溝に隣接して備え、回動軸の先端部を、チルト操作部材保持部に保持させたチルト操作部材と支持溝とにより前後から挟持することを特徴とする。
この構成によれば、一方の回動軸の先端部を、支持溝とチルト操作部材保持部に保持されるチルト操作部材とにより前後から挟持することができる。したがって、カメラユニットの左右両回動軸の両端部を夫々軸孔に圧入するような面倒な操作が必要なく、カメラユニットを容易に取り付けることができるし、取り外しについても容易に行うことができる。また、支持溝とチルト操作部材とにより回動軸の先端部を安定して支持することができる。
【０００７】
請求項２に記載の発明は、請求項１に記載の発明において、チルト操作部材は、挿入操作によりチルト操作部材保持部に保持され、チルト操作部材保持部及び／又はチルト操作部材に挿入量を規制する規制部を設けたことを特徴とする。
この構成により、チルト操作部材を過挿入してしまうおそれがなく、チルト操作部材をはじめとした各部材の劣化、破損を抑えることができ、ひいては回転軸の安定した回転を維持することができる。
【０００８】
請求項３に記載の発明は、請求項１又は２に記載の発明において、チルト操作部材の後面に円弧面を形成し、円弧面にチルト操作部材を後ケースの更に後方から操作するための摘み部を設ける一方、後ケースに、円弧面が当接可能で且つ円弧面と同曲率の湾曲面を有する支持部を設けるとともに、支持部の湾曲面に摘み部を外部へ露出させる操作窓を開設し、円弧面により操作窓の周囲を閉塞して、摘み部を操作窓から外部に露出させたことを特徴とする。
この構成により、摘み部を操作しても、チルト操作部材と操作窓との間に大きな隙間が生じたりしない。したがって、操作窓周囲の閉塞状態を維持でき、操作窓からの雨水の浸入や虫の進入を防止することができる。
【０００９】
請求項４に記載の発明は、請求項３に記載の発明において、操作窓の下方に隣接して水抜き孔を設けるとともに、操作窓と水抜き孔とを仕切る仕切部の前面を湾曲面よりも後方位置として、チルト操作部材の円弧面と仕切部の前面との間に隙間を生じさせ、隙間を、操作窓の内部と水抜き孔の内部とを連通する連通路としたことを特徴とする。
この構成により、摘み部周囲に付着したり操作窓内に溜まったりしている水滴を、連通路を介して水抜き孔へ自然と導き、外部へ排出することができる。したがって、ケースの防水性の更なる向上を図ることができる。
【発明の効果】
【００１０】
本発明によれば、カメラユニットの左右両回動軸の先端部を軸孔に圧入していた従来のものと比較して、カメラユニットを容易に設置することができる。また、メンテナンス時等にカメラユニットを取り外す場合にも、チルト操作部材を保持部から取り去るだけで取り外し可能となり、設置作業同様、容易に行うことができる。
【発明を実施するための最良の形態】
【００１１】
以下、本発明の一実施形態となるインターホン装置のカメラ付玄関子機（以下、単に子機と称す）について、図面をもとに説明する。
【００１２】
図１は、子機１の正面を示した説明図であり、図２は、前ケース２の後面側を示した斜視説明図である。また、図３の（ａ）は後ケース３の前面側を示した斜視説明図であり、（ｂ）はＢ部の拡大説明図である。
子機１は、前ケース２と後ケース３とを組み立ててなる本体ケース内にカメラ４を内蔵しているとともに、スピーカ部５や呼出ボタン６、マイク部７等を備えてなるもので、居室内に設置された図示しない親機との間で通話可能に構成されている。また、通話時には、カメラ４にて来訪者等を撮像し、当該撮像データを親機へ送信可能となっている。
【００１３】
前ケース２は、後ケース３の前面を覆うように嵌装可能に構成されてなるもので、中央やや上部には、カメラ４のレンズを露呈させるためのレンズ窓８が開設されている。また、前ケース２の後面でレンズ窓８の右方（図２において右方）には、後述するカメラユニット９に設けられた第一軸（回動軸）１０を軸支可能な軸孔を有する第一軸受リブ（軸支部）１１が突設されている。一方、レンズ窓８の左方（図２において左方）には、カメラユニット９に設けられた第二軸（回動軸）１２を軸支可能に後方から切り込まれてなるＵ字状溝（支持溝）１３を有する第二軸受リブ（軸支部）１４が突設されている。また、該第二軸受リブ１４の更に左方には壁状の保持リブ１５が突設されており、保持リブ１５と第二軸受リブ１４との間で、後述の如きチルト操作部材１６を保持可能となっている（すなわち、保持リブ１５と第二軸受リブ１４との間の空間が軸支部の一部を構成する保持部（チルト操作部材保持部）１７として機能する）。加えて、カメラ４の回動角度を制限するためのチルト制限リブ１８が、レンズ窓８の左方（図２において左方）に隣接して設けられている。尚、第二軸受リブ１４のＵ字状溝１３を挟んで上下位置には、第二軸受リブ１４を補強するための補強リブ１９、１９が一体的に設けられている。
【００１４】
後ケース３は、壁面等に設置される図示しない取付台に取付可能に構成されてなるもので、その前面やや右上部には、前ケース２の保持部１７に保持されたチルト操作部材１６の後面に当接する側面視円弧状の湾曲面２０を有する支持部２１が突設されている。また、支持部２１の中央には、チルト操作部材１６の摘み部２２を後ケース３の更に後方から操作可能とするための操作窓２３、及び水抜き孔２４（図７に示す）が上下方向に連設されている。そして、該操作窓２１と水抜き孔２４とは、仕切部２５によって仕切られている。該仕切部２５は、その前面が湾曲面２０よりも若干後方へ凹むように設けられており、後述の如くしてチルト操作部材１６の後面が支持部２１の湾曲面２０に当接した際、支持部２１の後面と仕切部２５の前面との間に隙間が生じ、該隙間が操作窓２３より浸入した水滴を水抜き孔２４側へ導く連通路２６として機能するようになっている。加えて、支持部２１の上部には、左右方向へ延びる溝状の調整リブ受け２７が上下方向へ複数刻設されている。該調整リブ受け２７は、後述するチルト操作部材１６に設けられた調整リブ２８が係止可能となっており、調整リブ２８を係止させる調整リブ受け２７を選択することにより、カメラ４のチルト角度を調整可能としている。尚、支持部２１の下部（すなわち、水抜き孔２４の前方位置）は、下方へ向かって徐々に後方へ傾斜する傾斜面２１ａとなっている。
【００１５】
次に、本体ケース内に設置されるカメラユニット９について、図４をもとに説明する。図４は、カメラユニット９を示した斜視説明図である。
カメラユニット９は、撮像映像を処理する映像処理回路等が組み付けられた回路基板であるカメラ基板２９前面上に、カメラ４をネジ止め等によって一体的に取り付けてなるものである。カメラ４の左方へは第一軸受リブ１１の軸孔に軸支される第一軸１０が、カメラ４の右方へは第二軸受リブ１４のＵ字状溝１３に支持される第二軸１２が夫々突設されている。さらに、第二軸１２に先端には、カメラユニット９の設置時において保持部１７内に位置し、チルト操作部材１６に係合する係合部３０が一体的に設けられている。そして、該カメラユニット９は、カメラ４のレンズをレンズ窓８へ向けた姿勢で、第一軸１０を第一軸受リブ１１に、第二軸１２を第二軸受リブ１４に夫々支持させることにより前ケース２に設置される。尚、３１は、各軸を補強したり、チルト制限リブ１８へ当接させてチルト動作を制限したりするためのフランジである。
【００１６】
さらに、前ケース２へ設置状態にあるカメラユニット９のチルト角度を調整するためのチルト操作部材１６について、図５をもとに説明する。図５は、チルト操作部材１６を後面側から示した斜視説明図である。
チルト操作部材１６は、扇状に成形された板状部材であって、後面が支持部２１の湾曲面２０と略同曲率の円弧面３２となっており、該円弧面３２には、摘み部２２及び調整リブ２８が一体的に突設されている。一方、チルト操作部材１６の前部（頂部）には、カメラユニット９の第二軸１２の係合部３０に係合可能な略Ｕ字状の係合溝３３が設けられている。また、該前部は後部（円弧面３２側部）よりも左右幅が薄く、保持部１７と略同じ左右幅とされており、チルト操作部材１６の前部と後部との間に形成される段部は、第二軸受リブ１４の先端部に当接してチルト操作部材１６の挿入操作を規制する押し込み防止リブ（規制部）３４として機能する。さらに、該押し込み防止リブ３４と円弧面３２との間には、スリット３５が円弧面３２と平行方向へ開設されている。尚、円弧面３２及び湾曲面２０の曲率中心は、第二軸１２の回転軸中心となっている。
【００１７】
以上のような構成要素からなる子機１の組み立てについて、図６〜８をもとに以下説明する。図６は、カメラユニット９（カメラ基板は省略）を前ケース２に設置した状態を示した説明図である。また、図７の（ａ）は子機１の後面を上方から示した斜視説明図であり、（ｂ）はＣ部の拡大説明図である。さらに、図８の（ａ）は図１中のＡ−Ａ線断面図であり、（ｂ）はＤ部の拡大説明図である。
まず、カメラ４のレンズをレンズ窓８側へ向けた姿勢で、カメラユニット９の第一軸１０を第一軸受リブ１１に軸支させるとともに、第二軸１２を第二軸受リブ１４に支持させる。このとき、第二軸１２の先端に設けられている係合部３０は保持部１７内に位置することになる。
次に、チルト操作部材１６の前部を保持部１７内へ挿入し、係合溝３３を係合部３０に係合させる。このとき、チルト操作部材１６の押し込み防止リブ３４が第二軸受リブ１４の先端部に当接することにより、チルト操作部材１６の所定量以上の押し込み操作が防止される。また、当該チルト操作部材１６の挿入設置によりカメラ４のレンズがレンズ窓８から露呈する位置に位置決めされることになる。
そして、上述の如くカメラユニット９が設置された前ケース２に後ケース３を組み付ければ、支持部２１の湾曲面２０がチルト操作部材１６の円弧面３２に当接して、チルト操作部材１６が回動操作可能に支持され、ひいては第二軸１２がＵ字状溝１３とチルト操作部材１６とにより挟持されて回転可能に軸支されることになり、子機１の組み立ては完了となる。尚、組み立て時において、チルト操作部材１６の摘み部２２は、図７に示す如く後ケース３の操作窓２３から露出した状態となっている。
【００１８】
また、上述の如く組み立てられた子機１におけるカメラ４のチルト操作について以下説明する。
カメラ４のチルト角度を変更したい場合には、摘み部２２を上下方向へ操作して、チルト操作部材１６の調整リブ２８が係止する調整リブ受け２７を変更すればよい。このような摘み部２２の上下方向への操作により、第二軸１２を介してカメラユニット９全体が上下に回動するため、カメラ４のチルト角度を変更することができる。また、該操作において、変更可能なチルト角度を超えて摘み部２２を上方又は下方へ操作しようとしたとしても、カメラユニット９のフランジ部３１が前ケース２のチルト制限リブ１８に当接し、それ以上の回動が阻止されるため、摘み部２２の操作も阻止されることになる。尚、調整リブ２８が調整リブ受け２７に係止した状態にあるものの、スリット３５によりチルト操作部材１６が撓みやすくなっているため、容易に上下方向へ操作することができる。
【００１９】
さらに、子機１では、支持部２１の湾曲面２０とチルト操作部材１６の円弧面３２とを略同曲率としており、当該面同士間に大きな隙間が生じないようにして、操作窓２３からの水等の浸入防止を図っているが、円弧面３２に付着したり仕切部２５上に溜まった水滴等も以下のようにして排出可能としている。
組み立て状態にある子機１では、チルト操作部材１６の円弧面３２と仕切部２５前面との間に連通路２６が形成されるため、該連通路２６を介して水滴等を水抜き孔２４へ導き、外部へ排出する。また、水抜き孔２４の前方に位置する支持部２１の壁面が、下方へ向かって後方（すなわち水抜き孔２４側）へ傾斜する傾斜面２１ａとなっており、水抜き孔２４からの水滴等の浸入を防止可能となっている。尚、図７及び８に示す如く、操作窓２３及び水抜き孔２４は後ケース３の凹状部に形成されており、摘み部２２を凹状部内に位置させ、後ケース３の設置等の邪魔にならないようにしている。また、３６は、操作窓２３の上方に突設された庇部であり、操作窓２３や水抜き孔２４へ雨水等が直接当たることを防止して、防水性の向上を図るものである。
【００２０】
以上のような構成を有する子機１によれば、カメラユニット９の第二軸１２を、第二軸受リブ１４のＵ字状溝１３に支持させるとともに、チルト操作部材１６を第二軸受リブ１４に隣接して設けられた保持部１７内へ挿入し、該保持部１７内に位置している第二軸１２の先端（係合部３０）をチルト操作部材１６の係合溝３３に係合させ、さらに前ケース２と後ケース３とを組み付けてチルト操作部材１６を支持することにより、軸支するようになっている。したがって、カメラユニットの左右両回動軸の先端部を軸孔に圧入していた従来のものと比較して、カメラユニット９を容易に設置することができる。また、メンテナンス時等にカメラユニット９を取り外す場合にも、チルト操作部材１６を保持部１７から抜き取るだけで取り外し可能となり、設置作業同様、容易に行うことができる。
【００２１】
また、チルト操作部材１６に押し込み防止リブ３４を設けているため、チルト操作部材１６を保持部１７内へ挿入して取り付ける際に、押し込み防止リブ３４が第二軸受リブ１４の先端部に当接することで、それ以上の押し込み操作が禁止される。したがって、チルト操作部材１６の過挿入を確実に防止することができ、第二軸受リブ１４の破損防止、ひいては第二軸１２の安定した回転を維持することができる。さらにまた、第二軸受リブ１４に補強リブ１９、１９を一体的に設けることで、第二軸受リブ１４の強度向上を図ることができる。
【００２２】
さらに、チルト操作部材１６を支持する支持部２１の前面を湾曲面２０に形成するとともに、チルト操作部材１６の後面を湾曲面２０と略同曲率の円弧面３２に形成している。したがって、後ケース３の組み付け時に、支持部２１にチルト操作部材１６の摘み部２２を後ケース３から露出させるための操作窓２３が開設されているにも拘わらず、操作窓２３周囲のチルト操作部材１６と後ケース３との間に隙間が生じず、本体ケース内への水滴等の浸入や虫の進入を防止することができる。
【００２３】
さらにまた、操作窓２３の下方に水抜き孔２４を開設しているとともに、操作窓２３と水抜き孔２４とを仕切る仕切部２５を、その前面が湾曲面２０よりも後方に位置するように設けており、後ケース３の組み付け時にチルト操作部材１６の円弧面３２と仕切部２５の前面との間に連通路２６が形成されるようにしている。したがって、該連通路２６により、円弧面３２に付着したり仕切部２５上に溜まった水滴等を水抜き孔２４へ導き、外部へ排出することができ、防水性の更なる向上を図ることができる。また、水抜き孔２４の前方に位置する支持部２１の壁面を、下方へ向かって後方へ傾斜する傾斜面２１ａとしているため、水抜き孔２４からの水滴等の浸入を効果的に防止することができる。さらに、仕切部２５を設けることにより、操作窓２３及び水切り孔２４周縁部を補強することができ、後ケース３の強度向上を図ることができる。
【００２４】
加えて、チルト操作部材１６にスリット３５を設けることで、チルト操作部材１６を撓みやすくしている。したがって、調整リブ２８と調整リブ受け２７とが係止状態にあるにも拘わらず、チルト操作部材１６を容易に上下方向へ操作することができ、調整リブ２８が係止する調整リブ受け２７を変更する、すなわちカメラ４のチルト角度を調整することができる。
【００２５】
なお、本発明に係る子機に係る構成は、上記実施形態に記載の態様に何ら限定されるものではなく、回動軸、軸支部、チルト操作部材１６、前ケース２、及び後ケース３等に係る構成を、本発明の趣旨を逸脱しない範囲で、必要に応じて適宜変更することができる。
【００２６】
たとえば、上記実施形態に記載の子機１では、後ケース３の組み付けによってチルト操作部材１６を支持し、カメラユニット９の第二軸１２を軸支する構成としているが、該構成に何ら限定されることはなく、上記実施形態の第二軸受リブ１４や保持リブ１５等に保持部１７側へ突出する係止爪を設ける一方、チルト操作部材１６に、当該係止爪が係止可能で且つ操作方向へ長い係止溝を設け、チルト操作部材１６の挿入に伴い係止爪が係止溝に係止し、チルト操作部材１６（特に前端部）が保持部１７内で保持されるような構成とすることも可能である。当該構成を採用したとしても、カメラユニット９の設置作業及び取り外し作業の容易化といった効果を奏することができるし、第二軸受リブ１４や保持リブ１５等に弾性を備えることで、設置作業等の更なる容易化を図ることができる。
【００２７】
また、カメラ４のチルト角度を調整するための調整リブ受け２７をより多く設け、より多段階にチルト角度を調整可能にしても何ら問題はないし、押し込み防止リブ３４を第二軸受リブ１４側に設けたり、別途独立した部材として設けるようにしてもよい。さらに、左右どちらの回動軸を支持溝とチルト操作部材１６とにより挟持する構成とするかについても適宜変更可能である。
加えて、チルト操作部材１６に関しても、該チルト操作部材１６の材質等に応じてスリット３５を設ける必要がなければ設けなくてもよいし、スリット３５を設ける場合にも該スリット３５の形状は適宜変更可能である。
【図面の簡単な説明】
【００２８】
【図１】子機の正面を示した説明図である。
【図２】前ケースの後面側を示した斜視説明図である。
【図３】（ａ）は後ケースの前面側を示した斜視説明図であり、（ｂ）はＢ部の拡大説明図である。
【図４】カメラユニットを示した斜視説明図である。
【図５】チルト操作部材を後面側から示した斜視説明図である。
【図６】カメラユニットを前ケースに設置した状態を示した説明図である。
【図７】（ａ）は子機の後面を上方から示した斜視説明図であり、（ｂ）はＣ部の拡大説明図である。
【図８】（ａ）は図１中のＡ−Ａ線断面図であり、（ｂ）はＤ部の拡大説明図である。
【符号の説明】
【００２９】
１・・子機、２・・前ケース、３・・後ケース、４・・カメラ、９・・カメラユニット、１０・・第一軸（回動軸）、１１・・第一軸受リブ（軸支部）、１２・・第二軸（回動軸）、１３・・Ｕ字状溝（支持溝）、１４・・第二軸受リブ（軸支部）、１５・・保持リブ（軸支部）、１６・・チルト操作部材、１７・・保持部（チルト操作部材保持部）、１８・・チルト制限リブ、１９・・補強リブ、２０・・湾曲面、２１・・支持部、２１ａ・・傾斜面、２２・・摘み部、２３・・操作窓、２４・・水抜き孔、２５・・仕切部、２６・・連通路、２７・・調整リブ受け、２８・・調整リブ、３０・・係合部、３２・・円弧面、３３・・係合溝、３４・・押し込み防止リブ（規制部）、３５・・スリット。
【図１】
2008205934.tif 000003
【図２】
2008205934.tif 000004
【図３】
2008205934.tif 000005
【図４】
2008205934.tif 000006
【図５】
2008205934.tif 000007
【図６】
2008205934.tif 000008
【図７】
2008205934.tif 000009
【図８】
2008205934.tif 000010